(57)【要約】      （修正有）【課題】悪意の第三者によって偽の所定情報が生成されて送信された場合に発生し得る問題を解決する。【解決手段】通知情報の発信元及びタイプを識別するための識別情報、通知情報のシリアル番号及び通知情報を含む所定情報を送信する工程Ａと、移動局ＵＥが、所定記憶部２２Ａ内に、受信した所定情報に含まれる識別情報とシリアル番号と通知情報との組み合わせと同一の組み合わせを記憶しているか否かについて判定する工程Ｂと、移動局ＵＥが、記憶していると判定した場合、受信した通知情報を廃棄する工程Ｃと、移動局ＵＥが、記憶していないと判定した場合、受信した通知情報をアプリケーション機能部２３へと転送し、所定記憶部２２Ａ内に、識別情報とシリアル番号と通知情報との組み合わせを記憶する工程Ｄとを有する。【選択図】図６
2010263587.tif 000002
【特許請求の範囲】
【請求項１】
移動局に対して通知情報を送信する移動通信方法であって、
前記通知情報の発信元及びタイプを識別するための識別情報、該通知情報のシリアル番号及び該通知情報を含む所定情報を送信する工程Ａと、
前記移動局が、所定記憶部内に、受信した前記所定情報に含まれる前記識別情報と前記シリアル番号と前記通知情報との組み合わせと同一の組み合わせを記憶しているか否かについて判定する工程Ｂと、
前記移動局が、前記同一の組み合わせを記憶していると判定した場合、受信した前記通知情報を廃棄する工程Ｃと、
前記移動局が、前記同一の組み合わせを記憶していないと判定した場合、受信した前記通知情報を、該移動局内部のアプリケーション機能部へと転送し、前記所定記憶部内に、前記識別情報と前記シリアル番号と前記通知情報との組み合わせを記憶する工程Ｄとを有することを特徴とする移動通信方法。
【請求項２】
前記所定情報にセキュリティ情報が更に含まれている場合、前記工程Ｂにおいて、前記移動局は、前記所定記憶部内に、受信した前記所定情報に含まれる前記識別情報と前記シリアル番号と前記通知情報と該セキュリティ情報との組み合わせと同一の組み合わせを記憶しているか否かについて判定することを特徴とする請求項１に記載の移動通信方法。
【請求項３】
前記移動局は、前記所定記憶部内に、前記識別情報と前記シリアル番号と前記通知情報とに基づいて生成したハッシュ値を記憶しており、
前記工程Ｂにおいて、前記移動局は、前記所定記憶部内に、前記受信した前記所定情報に含まれる前記識別情報と前記シリアル番号と前記通知情報とに基づいて生成したハッシュ値と同一のハッシュ値を記憶しているか否かについて判定することによって、該所定記憶部内に、受信した該所定情報に含まれる該識別情報と該シリアル番号と該通知情報との組み合わせと同一の組み合わせを記憶しているか否かについて判定することを特徴とする請求項１に記載の移動通信方法。
【請求項４】
前記工程Ａにおいて、前記所定情報として、報知情報を送信することを特徴とする請求項１に記載の移動通信方法。
【請求項５】
前記工程Ａにおいて、前記所定情報として、ＲＲＣメッセージを送信することを特徴とする請求項１に記載の移動通信方法。
【請求項６】
通知情報を受信する移動局であって、
前記通知情報の発信元及びタイプを識別するための識別情報、該通知情報のシリアル番号及び該通知情報を含む所定情報を受信するように構成されている受信部と、
所定記憶部内に、受信した前記所定情報に含まれる前記識別情報と前記シリアル番号と前記通知情報との組み合わせと同一の組み合わせを記憶しているか否かについて判定するように構成されている判定部とを具備し、
前記判定部は、前記同一の組み合わせを記憶していると判定した場合、受信した前記通知情報を廃棄し、該同一の組み合わせを記憶していないと判定した場合、受信した前記通知情報を、該移動局内部のアプリケーション機能部へと転送し、前記所定記憶部内に、該識別情報と該シリアル番号と該通知情報との組み合わせを記憶するように構成されていることを特徴とする移動局。
【請求項７】
前記所定情報にセキュリティ情報が更に含まれている場合、前記判定部は、前記所定記憶部内に、受信した前記所定情報に含まれる前記識別情報と前記シリアル番号と前記通知情報と該セキュリティ情報との組み合わせと同一の組み合わせを記憶しているか否かについて判定するように構成されていることを特徴とする請求項６に記載の移動局。
【請求項８】
前記所定記憶部は、前記識別情報と前記シリアル番号と前記通知情報とに基づいて生成されたハッシュ値を記憶しており、
前記判定部は、前記所定記憶部内に、前記受信した前記所定情報に含まれる前記識別情報と前記シリアル番号と前記通知情報とに基づいて生成したハッシュ値と同一のハッシュ値を記憶しているか否かについて判定することによって、該所定記憶部内に、受信した該所定情報に含まれる該識別情報と該シリアル番号と該通知情報との組み合わせと同一の組み合わせを記憶しているか否かについて判定するように構成されていることを特徴とする請求項６に記載の移動局。
【請求項９】
前記受信部は、前記所定情報として報知情報を受信するように構成されていることを特徴とする請求項６に記載の移動局。
【請求項１０】
前記受信部は、前記所定情報としてＲＲＣメッセージを受信するように構成されていることを特徴とする請求項６に記載の移動局。
【発明の詳細な説明】
【技術分野】
【０００１】
本発明は、移動通信方法及び移動局に関する。
【背景技術】
【０００２】
３ＧＰＰでは、移動局ＵＥに対して津波情報や地震情報等の緊急情報を通知するように構成されている「ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）」が規定されている。
【０００３】
かかるＥＴＷＳでは、「ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）」や「Ｅ-ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）」等の無線アクセスネットワークが、所定情報（例えば、報知情報やＲＲＣメッセージやＢＭＣメッセージ等）を介して、かかる緊急情報を繰り返し送信するように構成されている。
【０００４】
ここで、かかる所定情報には、上述の緊急情報に加えて、かかる緊急情報の発信元及びタイプを識別するためのメッセージＩＤ、及び、かかる緊急情報のシリアル番号等が含まれている。
【０００５】
移動局ＵＥは、かかる所定情報を介して、緊急情報、メッセージＩＤ及びシリアル番号を受信し、所定記憶部内に、受信した当該メッセージＩＤと当該シリアル番号との組み合わせと同一の組み合わせを記憶しているか否かについて判定するように構成されている。
【０００６】
そして、移動局ＵＥは、所定記憶部内に、かかる組み合わせを記憶していると判定した場合には、受信した当該緊急情報が既に一度受信されていると判定して、受信した当該緊急情報を廃棄し、かかる緊急情報とメッセージＩＤとシリアル番号との組み合わせを記憶していないと判定した場合には、かかる緊急情報が新規の緊急情報であると判定して、当該緊急情報を移動局ＵＥ内部のアプリケーション機能部（アプリケーション層）へと転送し、かかるメッセージＩＤとシリアル番号との組み合わせを所定記憶部内に記憶するように構成されている。
【０００７】
かかる移動局ＵＥの動作は、「Ｄｕｐｌｉｃａｔｉｏｎ  Ｄｅｔｅｃｔｉｏｎ」と呼ばれている。
【先行技術文献】
【非特許文献】
【０００８】
【非特許文献１】３ＧＰＰ  ＴＳ２５.３３１  ｖ８.５.０
【非特許文献２】３ＧＰＰ  ＴＳ３６.３３１  ｖ８.５.０
【非特許文献３】３ＧＰＰ  ＴＳ２３.０４１  ｖ８.２.０
【発明の概要】
【発明が解決しようとする課題】
【０００９】
上述のように、メッセージＩＤとシリアル番号との組み合わせによって、緊急情報を一意に特定できるため、移動局ＵＥは、メッセージＩＤとシリアル番号との組み合わせに基づいて、「Ｄｕｐｌｉｃａｔｉｏｎ  Ｄｅｔｅｃｔｉｏｎ」を行えば問題ないと考えられていた。
【００１０】
しかしながら、悪意の第三者が、メッセージＩＤとシリアル番号と正規の緊急情報とを含む正規の所定情報を傍受した後、当該メッセージＩＤ及び当該シリアル番号と偽の緊急情報とを含む偽の所定情報を生成して送信した場合に、以下のような問題が発生し得ることを、本出願人は発見した。
【００１１】
具体的には、移動局ＵＥは、偽の所定情報に含まれるメッセージＩＤ及びシリアル番号との組み合わせを新規の緊急情報に係るものと判定して、かかる組み合わせを所定記憶部内に記憶してしまった場合、その後、当該メッセージＩＤ及び当該シリアル番号と正規の緊急情報とを含む正規の所定情報を受信した場合であっても、当該メッセージＩＤ及び当該シリアル番号との組み合わせは所定記憶部に既に記憶されているため、かかる正規の緊急情報とメッセージＩＤとシリアル番号とを廃棄してしまい、正規の緊急情報を出力することができないという問題が生じ得ることを、本出願人は発見した。
【００１２】
そこで、本発明は、上述の課題に鑑みてなされたものであり、上述の問題を解決することが可能な移動通信方法及び移動局を提供することを目的とする。
【課題を解決するための手段】
【００１３】
本発明の第１の特徴は、移動局に対して通知情報を送信する移動通信方法であって、前記通知情報の発信元及びタイプを識別するための識別情報、該通知情報のシリアル番号及び該通知情報を含む所定情報を送信する工程Ａと、前記移動局が、所定記憶部内に、受信した前記所定情報に含まれる前記識別情報と前記シリアル番号と前記通知情報との組み合わせと同一の組み合わせを記憶しているか否かについて判定する工程Ｂと、前記移動局が、前記同一の組み合わせを記憶していると判定した場合、受信した前記通知情報を廃棄する工程Ｃと、前記移動局が、前記同一の組み合わせを記憶していないと判定した場合、受信した前記通知情報を、該移動局内部のアプリケーション機能部へと転送し、前記所定記憶部内に、前記識別情報と前記シリアル番号と前記通知情報との組み合わせを記憶する工程Ｄとを有することを要旨とする。
【００１４】
本発明の第２の特徴は、通知情報を受信する移動局であって、前記通知情報の発信元及びタイプを識別するための識別情報、該通知情報のシリアル番号及び該通知情報を含む所定情報を受信するように構成されている受信部と、所定記憶部内に、受信した前記所定情報に含まれる前記識別情報と前記シリアル番号と前記通知情報との組み合わせと同一の組み合わせを記憶しているか否かについて判定するように構成されている判定部とを具備し、前記判定部は、前記同一の組み合わせを記憶していると判定した場合、受信した前記通知情報を廃棄し、該同一の組み合わせを記憶していないと判定した場合、受信した前記通知情報を、該移動局内部のアプリケーション機能部へと転送し、前記所定記憶部内に、該識別情報と該シリアル番号と該通知情報との組み合わせを記憶するように構成されていることを要旨とする。
【発明の効果】
【００１５】
以上説明したように、本発明によれば、悪意の第三者によって偽の所定情報が生成されて送信された場合に発生し得る問題を解決することができる移動通信方法及び移動局を提供することができる。
【図面の簡単な説明】
【００１６】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信されるページングメッセージの一例を示す図である。
【図４】本発明の第１の実施形態に係る無線基地局によって送信されるＳＩＢ１０の一例を示す図である。
【図５】本発明の第１の実施形態に係る無線基地局によって送信されるＳＩＢ１１の一例を示す図である。
【図６】本発明の第１の実施形態に係る移動局の機能ブロック図である。
【図７】本発明の第１の実施形態に係る移動局の動作を示すフローチャートである。
【図８】本発明の第２の実施形態に係る移動通信システムの全体構成図である。
【図９】本発明の第２の実施形態に係る無線回線制御局の機能ブロック図である。
【図１０】本発明の第２の実施形態に係る無線回線制御局によって送信される「ＰＡＧＩＮＧ  ＴＹＰＥ  １」の一例を示す図である。
【図１１】本発明の第２の実施形態に係る無線回線制御局によって送信される「ＰＡＧＩＮＧ  ＴＹＰＥ  １」に含まれる情報要素「ＥＴＷＳ  ｉｎｆｏｒｍａｔｉｏｎ」の一例を示す図である。
【図１２】本発明の第２の実施形態に係る無線回線制御局によって送信される「ＳＹＳＴＥＭ  ＩＮＦＯＲＭＡＴＩＯＮ  ＣＨＡＮＧＥ  ＩＮＤＩＣＡＴＩＯＮ」の一例を示す図である。
【図１３】本発明の第２の実施形態に係る無線回線制御局によって送信される「ＥＴＷＳ  ＰＲＩＭＡＲＹ  ＮＯＴＩＦＩＣＡＴＩＯＮ  ＷＩＴＨ  ＳＥＣＵＲＩＴＹ」の一例を示す図である。
【図１４】本発明の第２の実施形態に係る無線回線制御局によって送信される「ＥＴＷＳ  ＰＲＩＭＡＲＹ  ＮＯＴＩＦＩＣＡＴＩＯＮ  ＷＩＴＨ  ＳＥＣＵＲＩＴＹ」に含まれる情報要素「ＥＴＷＳ  ｗａｒｎｉｎｇ  ｓｅｃｕｒｉｔｙ  ｉｎｆｏｒｍａｔｉｏｎ」の一例を示す図である。
【図１５】本発明の第２の実施形態に係る移動通信システムの動作を示すシーケンス図である。
【図１６】本発明の第２の実施形態に係る移動局の動作を示すフローチャートである。
【発明を実施するための形態】
【００１７】
（本発明の第１の実施形態に係る移動通信システムの構成）
図１乃至図６を参照して、本発明の第１の実施形態に係る移動通信システムの構成について説明する。
【００１８】
図１に示すように、本実施形態に係る移動通信システムは、無線アクセスネットワークとしてＥ-ＵＴＲＡＮを有する移動通信システムである。具体的には、本実施形態に係る移動通信システムは、ＣＢＳ（Ｃｅｌｌ  Ｂｒｏａｄｃａｓｔ  Ｓｅｒｖｉｃｅ）を提供するサーバＣＢＣ（Ｃｅｌｌ  Ｂｒｏａｄｃａｓｔ  Ｃｅｎｔｅｒ）と、交換局ＭＭＥと、無線基地局ｅＮＢとを具備している。
【００１９】
本実施形態に係る移動通信システムは、配下のセルに在圏している移動局ＵＥに対して、「ＥＴＷＳ  ｎｏｔｉｆｉｃａｔｉｏｎ（ＥＴＷＳ通知情報）」を送信するように構成されている。
【００２０】
かかる「ＥＴＷＳ  ｎｏｔｉｆｉｃａｔｉｏｎ」は、自治体等の所定機関のサーバから受信した緊急情報（例えば、津波情報や地震情報等）を移動局ＵＥに対して通知するための通知情報であり、「ＥＴＷＳ  ｐｒｉｍａｒｙ  ｎｏｔｉｆｉｃａｔｉｏｎ」及び「ＥＴＷＳ  ｓｅｃｏｎｄａｒｙ  ｎｏｔｉｆｉｃａｔｉｏｎ」とを含む。
【００２１】
例えば、「ＥＴＷＳ  ｐｒｉｍａｒｙ  ｎｏｔｉｆｉｃａｔｉｏｎ」は、上述の緊急情報についての最低限の情報を通知するための通知情報であり、「ＥＴＷＳ  ｓｅｃｏｎｄａｒｙ  ｎｏｔｉｆｉｃａｔｉｏｎ」は、上述の緊急情報についての詳細情報を通知するための通知情報であってもよい。
【００２２】
図２に示すように、無線基地局ｅＮＢは、ＥＴＷＳ通知情報受信部１１と、ページングメッセージ送信部１２と、報知情報送信部１３とを具備している。
【００２３】
ＥＴＷＳ通知情報受信部１１は、交換局ＭＭＥから、自治体等の所定機関のサーバから配信される、ＥＴＷＳにおいて通知すべき緊急情報を受信するように構成されている。
【００２４】
ページングメッセージ送信部１２は、移動局ＵＥに対して、ページングメッセージ（Ｐａｇｉｎｇ  ｍｅｓｓａｇｅ）を送信するように構成されている。図３に、かかるページングメッセージのフォーマットの一例について示す。
【００２５】
図３に示す「ｅｔｗｓ-Ｉｎｄｉｃａｔｉｏｎ」は、「ＥＴＷＳ  ｐｒｉｍａｒｙ  ｎｏｔｉｆｉｃａｔｉｏｎ」又は「ＥＴＷＳ  ｓｅｃｏｎｄａｒｙ  ｎｏｔｉｆｉｃａｔｉｏｎ」の少なくとも一方が送信されていることを示すインディケータである。
【００２６】
すなわち、ＥＴＷＳ通知情報受信部１１が、交換局ＭＭＥから、自治体等の所定機関のサーバから配信される、ＥＴＷＳにおいて通知すべき緊急情報を受信した場合に、ページングメッセージ送信部１２は、かかる「ｅｔｗｓ-Ｉｎｄｉｃａｔｉｏｎ」を「ＯＮ」に設定したページングメッセージを送信するように構成されている。
【００２７】
報知情報送信部１３は、移動局ＵＥに対して、報知情報を送信するように構成されている。
【００２８】
具体的には、報知情報送信部１３は、「ＥＴＷＳ  ｎｏｔｉｆｉｃａｔｉｏｎ」の発信元及びタイプを識別するための「メッセージＩＤ（識別情報）」、「ＥＴＷＳ  ｎｏｔｉｆｉｃａｔｉｏｎ」の「シリアル番号」及び「ＥＴＷＳ  ｎｏｔｉｆｉｃａｔｉｏｎ」を含む報知情報（所定情報）を送信するように構成されている。
【００２９】
ここで、報知情報送信部１３は、報知情報である「ＳＩＢ１０（Ｓｙｓｔｅｍ  Ｉｎｆｏｒｍａｔｉｏｎ  Ｂｌｏｃｋ  １０）」を介して、「ＥＴＷＳ  ｐｒｉｍａｒｙ  ｎｏｔｉｆｉｃａｔｉｏｎ」を送信し、報知情報である「ＳＩＢ１１（Ｓｙｓｔｅｍ  Ｉｎｆｏｒｍａｔｉｏｎ  Ｂｌｏｃｋ  １１）」を介して、「ＥＴＷＳ  ｓｅｃｏｎｄａｒｙ  ｎｏｔｉｆｉｃａｔｉｏｎ」を送信するように構成されている。
【００３０】
図４に、ＳＩＢ１０のフォーマットの一例を示し、図５に、ＳＩＢ１１のフォーマットの一例を示す。
【００３１】
図４に示すように、ＳＩＢ１０には、「ｍｅｓｓａｇｅＩｄｅｎｔｉｆｉｅｒ」フィールドや「ｓｅｒｉａｌＮｕｍｂｅｒ」フィールドや「ｗａｒｎｉｎｇＴｙｐｅ」フィールドや「ｗａｒｎｉｎｇＳｅｃｕｒｉｔｙＩｎｆｏ」フィールドが規定されている。
【００３２】
「ｍｅｓｓａｇｅＩｄｅｎｔｉｆｉｅｒ」フィールドには、「ＥＴＷＳ  ｐｒｉｍａｒｙ  ｎｏｔｉｆｉｃａｔｉｏｎ」の発信元（所定機関のサーバの識別情報等）及びタイプ（例えば、津波情報や地震情報等）を識別するための「メッセージＩＤ（識別情報）」が設定される。
【００３３】
また、「ｓｅｒｉａｌＮｕｍｂｅｒ」フィールドには、「ＥＴＷＳ  ｐｒｉｍａｒｙ  ｎｏｔｉｆｉｃａｔｉｏｎ」のシリアル番号が設定される。かかるシリアル番号は、「ＥＴＷＳ  ｐｒｉｍａｒｙ  ｎｏｔｉｆｉｃａｔｉｏｎ」の内容が変更されるたびに更新される。
【００３４】
また、「ｗａｒｎｉｎｇＴｙｐｅ」フィールドには、「ＥＴＷＳ  ｐｒｉｍａｒｙ  ｎｏｔｉｆｉｃａｔｉｏｎ」が設定される。
【００３５】
さらに、「ｗａｒｎｉｎｇＳｅｃｕｒｉｔｙＩｎｆｏ」フィールドには、セキュリティ情報が設定される。ここで、かかるセキュリティ情報は、ＳＩＢ１０に付与するデジタル署名であってもよいし、その他の情報であってもよい。なお、「ｗａｒｎｉｎｇＳｅｃｕｒｉｔｙＩｎｆｏ」フィールドに、セキュリティ情報を設定することはオプションである。
【００３６】
図５に示すように、ＳＩＢ１１には、「ｍｅｓｓａｇｅＩｄｅｎｔｉｆｉｅｒ」フィールドや「ｓｅｒｉａｌＮｕｍｂｅｒ」フィールドや「ｗａｒｎｉｎｇＭｅｓｓａｇｅＳｅｇｍｅｎｔＴｙｐｅ」フィールドや「ｗａｒｎｉｎｇＭｅｓｓａｇｅＳｅｇｍｅｎｔＮｕｍｂｅｒ」フィールドや「ｗａｒｎｉｎｇＭｅｓｓａｇｅＳｅｇｍｅｎｔ」フィールドや「ｄａｔａＣｏｄｉｎｇＳｃｈｅｍｅ」フィールドが規定されている。
【００３７】
「ｍｅｓｓａｇｅＩｄｅｎｔｉｆｉｅｒ」フィールドには、「ＥＴＷＳ  ｓｅｃｏｎｄａｒｙ  ｎｏｔｉｆｉｃａｔｉｏｎ」の発信元（所定機関のサーバの識別情報等）及びタイプ（例えば、津波情報や地震情報等）を識別するための「メッセージＩＤ（識別情報）」が設定される。
【００３８】
また、「ｓｅｒｉａｌＮｕｍｂｅｒ」フィールドには、「ＥＴＷＳ  ｓｅｃｏｎｄａｒｙ  ｎｏｔｉｆｉｃａｔｉｏｎ」のシリアル番号が設定される。かかるシリアル番号は、「ＥＴＷＳ  ｓｅｃｏｎｄａｒｙ  ｎｏｔｉｆｉｃａｔｉｏｎ」の内容が変更されるたびに更新される。
【００３９】
なお、「ＥＴＷＳ  ｓｅｃｏｎｄａｒｙ  ｎｏｔｉｆｉｃａｔｉｏｎ」は、「ＥＴＷＳ  ｐｒｉｍａｒｙ  ｎｏｔｉｆｉｃａｔｉｏｎ」と比べてデータ量が大きいため、複数のセグメントに分割され、複数のＳＩＢ１１によって通知される。
【００４０】
そこで、「ｗａｒｎｉｎｇＭｅｓｓａｇｅＳｅｇｍｅｎｔＴｙｐｅ」フィールドには、各セグメントが、１つの「ＥＴＷＳ  ｓｅｃｏｎｄａｒｙ  ｎｏｔｉｆｉｃａｔｉｏｎ」の最後のセグメントであるか否かについて示す情報が設定される。
【００４１】
また、「ｗａｒｎｉｎｇＭｅｓｓａｇｅＳｅｇｍｅｎｔＮｕｍｂｅｒ」フィールドには、各セグメントのセグメント番号が設定される。
【００４２】
さらに、「ｗａｒｎｉｎｇＭｅｓｓａｇｅＳｅｇｍｅｎｔ」フィールドには、各セグメントに分割された「ＥＴＷＳ  ｓｅｃｏｎｄａｒｙ  ｎｏｔｉｆｉｃａｔｉｏｎ」が設定される。
【００４３】
また、「ｄａｔａＣｏｄｉｎｇＳｃｈｅｍｅ」フィールドには、「ＥＴＷＳ  ｓｅｃｏｎｄａｒｙ  ｎｏｔｉｆｉｃａｔｉｏｎ」に適用される「コーディング方式」が設定される。
【００４４】
図６に示すように、移動局ＵＥは、受信部２１と、判定部２２と、記憶部２２Ａと、アプリケーション機能部２３とを具備している。
【００４５】
受信部２１は、無線基地局ｅＮＢによって送信されたページングメッセージや報知情報（所定情報）等を受信するように構成されている
具体的には、受信部２１は、無線基地局ｅＮＢによって送信されたページングメッセージを受信し、かかるページングメッセージ内の「ｅｔｗｓ-Ｉｎｄｉｃａｔｉｏｎ」に「ＯＮ」が設定されている場合、ＳＩＢ１０やＳＩＢ１１を受信するように構成されている。
【００４６】
また、受信部２１は、「ＥＴＷＳ  ｓｅｃｏｎｄａｒｙ  ｎｏｔｉｆｉｃａｔｉｏｎ」が複数のセグメントに分割されて送信されている場合、複数のＳＩＢ１１によって送信された複数のセグメントから「ＥＴＷＳ  ｓｅｃｏｎｄａｒｙ  ｎｏｔｉｆｉｃａｔｉｏｎ」を復元するように構成されている。
【００４７】
記憶部２２Ａは、受信部２１によって新規に受信された「メッセージＩＤ」と「シリアル番号」と「ＥＴＷＳ  ｎｏｔｉｆｉｃａｔｉｏｎ」との組み合わせを記憶するように構成されている。
【００４８】
なお、記憶部２２Ａは、受信部２１によって新規に受信された「メッセージＩＤ」と「シリアル番号」と「ＥＴＷＳ  ｎｏｔｉｆｉｃａｔｉｏｎ」と「セキュリティ情報」との組み合わせを記憶するように構成されていてもよい。
【００４９】
なお、記憶部２２Ａは、受信部２１によって新規に受信された「メッセージＩＤ」と「シリアル番号」と「ＥＴＷＳ  ｎｏｔｉｆｉｃａｔｉｏｎ」と「コーディング方式」との組み合わせを記憶するように構成されていてもよい。
【００５０】
また、記憶部２２Ａは、「メッセージＩＤ」と「シリアル番号」と「ＥＴＷＳ  ｎｏｔｉｆｉｃａｔｉｏｎ」とに基づいて生成したハッシュ値、或いは、「メッセージＩＤ」と「シリアル番号」と「ＥＴＷＳ  ｎｏｔｉｆｉｃａｔｉｏｎ」と「セキュリティ情報」とに基づいて生成したハッシュ値、或いは、「メッセージＩＤ」と「シリアル番号」と「ＥＴＷＳ  ｎｏｔｉｆｉｃａｔｉｏｎ」と「コーディング方式」とに基づいて生成したハッシュ値を記憶するように構成されていてもよい。
【００５１】
なお、記憶部２２Ａは、「ＥＴＷＳ  ｎｏｔｉｆｉｃａｔｉｏｎ」のみ、若しくは、「ＥＴＷＳ  ｎｏｔｉｆｉｃａｔｉｏｎ」と「セキュリティ情報」とにのみ基づいて生成したハッシュ値を記憶し、その他の情報（「メッセージＩＤ」や「シリアル番号」や「コーディング方式」）についてはその値そのものを記憶するように構成されていてもよい。
【００５２】
受信部２１が、ＳＩＢ１０やＳＩＢ１１を受信した場合に、判定部２２は、記憶部２２Ａ内に、受信部２１によって受信されたＳＩＢ１０やＳＩＢ１１に含まれる「メッセージＩＤ」と「シリアル番号」と「ＥＴＷＳ  ｎｏｔｉｆｉｃａｔｉｏｎ」との組み合わせと同一の組み合わせを記憶しているか否かについて判定するように構成されている。
【００５３】
なお、ＳＩＢ１０内に「セキュリティ情報」が含まれている場合、判定部２２は、記憶部２２Ａ内に、受信部２１によって受信されたＳＩＢ１０やＳＩＢ１１に含まれる「メッセージＩＤ」と「シリアル番号」と「ＥＴＷＳ  ｎｏｔｉｆｉｃａｔｉｏｎ」と「セキュリティ情報」との組み合わせと同一の組み合わせを記憶しているか否かについて判定するように構成されていてもよい。
【００５４】
なお、判定部２２は、記憶部２２Ａ内に、受信部２１によって受信されたＳＩＢ１１に含まれる「メッセージＩＤ」と「シリアル番号」と「ＥＴＷＳ  ｎｏｔｉｆｉｃａｔｉｏｎ」と「コーディング方式」との組み合わせと同一の組み合わせを記憶しているか否かについて判定するように構成されていてもよい。
【００５５】
例えば、判定部２２は、記憶部２２Ａ内に、受信したＳＩＢ１０に含まれる「メッセージＩＤ」と「シリアル番号」と「ＥＴＷＳ  ｐｒｉｍａｒｙ  ｎｏｔｉｆｉｃａｔｉｏｎ」との組み合わせと同一の組み合わせを記憶しているか否かについて判定するように構成されている。
【００５６】
ここで、ＳＩＢ１０に「セキュリティ情報」が含まれている場合、判定部２２は、記憶部２２Ａ内に、受信部２１によって受信されたＳＩＢ１０に含まれる「メッセージＩＤ」と「シリアル番号」と「ＥＴＷＳ  ｐｒｉｍａｒｙ  ｎｏｔｉｆｉｃａｔｉｏｎ」と「セキュリティ情報」との組み合わせと同一の組み合わせを記憶しているか否かについて判定するように構成されていてもよい。
【００５７】
また、判定部２２は、記憶部２２Ａ内に、受信したＳＩＢ１１に含まれる「メッセージＩＤ」と「シリアル番号」と「ＥＴＷＳ  ｓｅｃｏｎｄａｒｙ  ｎｏｔｉｆｉｃａｔｉｏｎ」との組み合わせと同一の組み合わせを記憶しているか否かについて判定するように構成されている。
【００５８】
ここで、判定部２２は、記憶部２２Ａ内に、受信したＳＩＢ１１に含まれる「メッセージＩＤ」と「シリアル番号」と「ＥＴＷＳ  ｓｅｃｏｎｄａｒｙ  ｎｏｔｉｆｉｃａｔｉｏｎ」と「コーディング方式」との組み合わせと同一の組み合わせを記憶しているか否かについて判定するように構成されていてもよい。
【００５９】
なお、「ＥＴＷＳ  ｓｅｃｏｎｄａｒｙ  ｎｏｔｉｆｉｃａｔｉｏｎ」内に、「セキュリティ情報」が含まれるように構成されていてもよい。
【００６０】
ここで、判定部２２は、「ＥＴＷＳ  ｓｅｃｏｎｄａｒｙ  ｎｏｔｉｆｉｃａｔｉｏｎ」が複数のセグメントに分割されて送信されている場合、受信部２１によって復元された「ＥＴＷＳ  ｓｅｃｏｎｄａｒｙ  ｎｏｔｉｆｉｃａｔｉｏｎ」を用いて、上述の判定を行うように構成されている。
【００６１】
なお、判定部２２は、記憶部２２Ａ内に、受信部２１によって受信されたＳＩＢ１０又はＳＩＢ１１に含まれる「メッセージＩＤ」と「シリアル番号」と「ＥＴＷＳ  ｎｏｔｉｆｉｃａｔｉｏｎ」とに基づいて生成したハッシュ値と同一のハッシュ値を記憶しているか否かについて判定することによって、記憶部２２Ａ内に、受信した所定情報に含まれる「メッセージＩＤ」と「シリアル番号」と「ＥＴＷＳ  ｎｏｔｉｆｉｃａｔｉｏｎ」との組み合わせと同一の組み合わせを記憶しているか否かについて判定するように構成されていてもよい。
【００６２】
或いは、判定部２２は、記憶部２２Ａ内に、受信部２１によって受信されたＳＩＢ１０に含まれる「メッセージＩＤ」と「シリアル番号」と「ＥＴＷＳ  ｎｏｔｉｆｉｃａｔｉｏｎ」と「セキュリティ情報」とに基づいて生成したハッシュ値と同一のハッシュ値を記憶しているか否かについて判定することによって、記憶部２２Ａ内に、受信した所定情報に含まれる「メッセージＩＤ」と「シリアル番号」と「ＥＴＷＳ  ｎｏｔｉｆｉｃａｔｉｏｎ」と「セキュリティ情報」との組み合わせと同一の組み合わせを記憶しているか否かについて判定するように構成されていてもよい。
【００６３】
或いは、判定部２２は、記憶部２２Ａ内に、受信部２１によって受信されたＳＩＢ１１に含まれる「メッセージＩＤ」と「シリアル番号」と「ＥＴＷＳ  ｎｏｔｉｆｉｃａｔｉｏｎ」と「コーディング方式」とに基づいて生成したハッシュ値と同一のハッシュ値を記憶しているか否かについて判定することによって、記憶部２２Ａ内に、受信した所定情報に含まれる「メッセージＩＤ」と「シリアル番号」と「ＥＴＷＳ  ｎｏｔｉｆｉｃａｔｉｏｎ」と「コーディング方式」との組み合わせと同一の組み合わせを記憶しているか否かについて判定するように構成されていてもよい。
【００６４】
なお、判定部２２が上記判定に用いるハッシュ値は、「ＥＴＷＳ  ｎｏｔｉｆｉｃａｔｉｏｎ」のみ、若しくは、「ＥＴＷＳ  ｎｏｔｉｆｉｃａｔｉｏｎ」と「セキュリティ情報」とにのみ基づいて生成されてもよく、その場合、上記判定に用いるその他の情報（「メッセージＩＤ」や「シリアル番号」や「コーディング方式」）については、その値そのものを用いてもよい。
【００６５】
また、判定部２２は、記憶部２２Ａ内に、上述の組み合わせを記憶していると判定した場合、受信した「ＥＴＷＳ  ｐｒｉｍａｒｙ  ｎｏｔｉｆｉｃａｔｉｏｎ」を廃棄し、上述の組み合わせを記憶していないと判定した場合、受信した「ＥＴＷＳ  ｐｒｉｍａｒｙ  ｎｏｔｉｆｉｃａｔｉｏｎ」及び「セキュリティ情報（ＳＩＢ１０に含まれている場合）」をアプリケーション機能部２３へと転送し、記憶部２２Ａ内に、「メッセージＩＤ」と「シリアル番号」と「ＥＴＷＳ  ｐｒｉｍａｒｙ  ｎｏｔｉｆｉｃａｔｉｏｎ」と「セキュリティ情報（ＳＩＢ１０に含まれている場合）」との組み合わせを記憶するように構成されている。
【００６６】
また、判定部２２は、記憶部２２Ａ内に、上述の組み合わせを記憶していると判定した場合、受信した「ＥＴＷＳ  ｓｅｃｏｎｄａｒｙ  ｎｏｔｉｆｉｃａｔｉｏｎ」を廃棄し、上述の組み合わせを記憶していないと判定した場合、受信した「ＥＴＷＳ  ｓｅｃｏｎｄａｒｙ  ｎｏｔｉｆｉｃａｔｉｏｎ」をアプリケーション機能部２３へと転送し、記憶部２２Ａ内に、「メッセージＩＤ」と「シリアル番号」と「ＥＴＷＳ  ｓｅｃｏｎｄａｒｙ  ｎｏｔｉｆｉｃａｔｉｏｎ」と「コーディング方式」との組み合わせを記憶するように構成されている。
【００６７】
ここで、受信部２１及び判定部２２は、ＲＲＣレイヤ機能を実現するように動作してもよい。
【００６８】
アプリケーション機能部２３は、ＮＡＳ（Ｎｏｎ-Ａｃｃｅｓｓ  Ｓｔｒａｔｕｍ）レイヤ機能を実現するように動作する。
【００６９】
また、アプリケーション機能部２３は、判定部２２によって転送された「ＥＴＷＳ  ｐｒｉｍａｒｙ  ｎｏｔｉｆｉｃａｔｉｏｎ」や「ＥＴＷＳ  ｓｅｃｏｎｄａｒｙ  ｎｏｔｉｆｉｃａｔｉｏｎ」の正当性を検証するように構成されている。
【００７０】
また、アプリケーション機能部２３は、正当性を確認できた「ＥＴＷＳ  ｐｒｉｍａｒｙ  ｎｏｔｉｆｉｃａｔｉｏｎ」や「ＥＴＷＳ  ｓｅｃｏｎｄａｒｙ  ｎｏｔｉｆｉｃａｔｉｏｎ」についての出力処理、例えば、ディスプレイからの表示処理やスピーカからの出力処理等を行うように構成されている。
【００７１】
（本発明の第１の実施形態に係る移動通信システムの動作）
以下、図７を参照して、本実施形態に係る移動通信システムの動作、特に、本実施形態に係る移動局の動作について説明する。
【００７２】
図７に示すように、ステップＳ１０１において、受信部２１は、受信したページングメッセージ内の「ｅｔｗｓ-Ｉｎｄｉｃａｔｉｏｎ」を参照して、「ＥＴＷＳ  ｐｒｉｍａｒｙ  ｎｏｔｉｆｉｃａｔｉｏｎ」や「ＥＴＷＳ  ｓｅｃｏｎｄａｒｙ  ｎｏｔｉｆｉｃａｔｉｏｎ」が送信されているか否かについて判定する。
【００７３】
送信されていないと判定された場合、本動作は、ステップＳ１０１の動作を繰り返し、送信されていると判定された場合、本動作は、ステップＳ１０２に進む。
【００７４】
ステップＳ１０２において、移動局ＵＥは、無線基地局ｅＮＢによって送信されたＳＩＢ１０又はＳＩＢ１１を受信する。
【００７５】
ステップＳ１０３において、判定部２２は、記憶部２２Ａ内に、受信したＳＩＢ１０又はＳＩＢ１１に含まれる「メッセージＩＤ」と「シリアル番号」と「ＥＴＷＳ  ｎｏｔｉｆｉｃａｔｉｏｎ」との組み合わせと同一の組み合わせを記憶しているか否かについて判定することによって、かかる「ＥＴＷＳ  ｎｏｔｉｆｉｃａｔｉｏｎ」が重複して新規に受信されたものであるか否かについて判定する。
【００７６】
判定部２２は、重複して受信されたと判定した場合、ステップＳ１０４において、かかる「ＥＴＷＳ  ｎｏｔｉｆｉｃａｔｉｏｎ」を廃棄する。
【００７７】
一方、判定部２２は、重複して新規に受信されたものでないと判定した場合、ステップＳ１０５において、かかる「ＥＴＷＳ  ｎｏｔｉｆｉｃａｔｉｏｎ」をアプリケーション機能部２３へと転送し、かかる「メッセージＩＤ」と「シリアル番号」と「ＥＴＷＳ  ｎｏｔｉｆｉｃａｔｉｏｎ」との組み合わせを記憶する。
【００７８】
ステップＳ１０６において、アプリケーション機能部２３は、受信された「ＥＴＷＳ  ｎｏｔｉｆｉｃａｔｉｏｎ」の正当性を確認できた場合、かかる「ＥＴＷＳ  ｎｏｔｉｆｉｃａｔｉｏｎ」についての出力処理を行う。
【００７９】
（本発明の第１の実施形態に係る移動通信システムの作用・効果）
本発明の第１の実施形態に係る移動通信システムによれば、移動局ＵＥが、「メッセージＩＤ」と「シリアル番号」と「ＥＴＷＳ  ｎｏｔｉｆｉｃａｔｉｏｎ」との組み合わせに基づいて「Ｄｕｐｌｉｃａｔｉｏｎ  Ｄｅｔｅｃｔｉｏｎ」を行うことによって、悪意の第三者によって生成されて送信された偽の「ＥＴＷＳ  ｎｏｔｉｆｉｃａｔｉｏｎ」を含む報知情報を検出することができるため、正規の「ＥＴＷＳ  ｎｏｔｉｆｉｃａｔｉｏｎ」と「メッセージＩＤ」と「シリアル番号」とを含む報知情報を受信した場合に、かかる報知情報を廃棄することなく、正規の「ＥＴＷＳ  ｎｏｔｉｆｉｃａｔｉｏｎ」を出力することができる。
【００８０】
（本発明の第２の実施形態に係る移動通信システム）
図８乃至図１６を参照して、本発明の第２の実施形態に係る移動通信システムについて説明する。以下、本発明の第２の実施形態に係る移動通信システムについて、上述の第１の実施形態に係る移動通信システムとの相違点に着目して説明する。
【００８１】
図８に示すように、本実施形態に係る移動通信システムは、無線アクセスネットワークとしてＵＴＲＡＮを有する移動通信システムである。具体的には、本実施形態に係る移動通信システムは、ＣＢＳを提供するサーバＣＢＣと、交換局ＭＳＣ/ＳＧＳＮと、無線回線制御局ＲＮＣと、無線基地局ＮｏｄｅＢとを具備している。
【００８２】
図９に示すように、無線回線制御局ＲＮＣは、ＥＴＷＳ通知情報受信部３１と、ＲＲＣメッセージ送信部３２とを具備している。
【００８３】
ＥＴＷＳ通知情報受信部３１は、交換局ＳＧＳＮから、自治体等の所定機関のサーバから配信される、ＥＴＷＳにおいて通知すべき緊急情報を受信するように構成されている。
【００８４】
ＲＲＣメッセージ送信部１２は、移動局ＵＥに対して、ＲＲＣ（Ｒａｄｉｏ  Ｒｅｓｏｕｒｃｅ  Ｃｏｎｔｒｏｌ）メッセージを送信するように構成されている。
【００８５】
例えば、ＲＲＣメッセージ送信部１２は、ＲＲＣメッセージとして、「ＰＡＧＩＮＧ  ＴＹＰＥ  １（ページングメッセージ）」や「ＳＹＳＴＥＭ  ＩＮＦＯＲＭＡＴＩＯＮ  ＣＨＡＮＧＥ  ＩＮＤＩＣＡＴＩＯＮ」や「ＥＴＷＳ  ＰＲＩＭＡＲＹ  ＮＯＴＩＦＩＣＡＴＩＯＮ  ＷＩＴＨ  ＳＥＣＵＲＩＴＹ」等を送信するように構成されている。
【００８６】
図１０に、かかる「ＰＡＧＩＮＧ  ＴＹＰＥ  １」のフォーマットの一例について示す。
【００８７】
「ＰＡＧＩＮＧ  ＴＹＰＥ  １」は、ＰＣＣＨ（Ｐａｇｉｎｇ  Ｃｏｎｔｒｏｌ  Ｃｈａｎｎｅｌ）を介して送信されるＲＲＣメッセージであり、情報要素として、「ＥＴＷＳ  ｉｎｆｏｒｍａｔｉｏｎ」を有している。
【００８８】
図１１に示すように、情報要素「ＥＴＷＳ  ｉｎｆｏｒｍａｔｉｏｎ」は、情報要素として、「Ｗａｒｎｉｎｇ  Ｔｙｐｅ」と「Ｍｅｓｓａｇｅ  ＩＤ」と「Ｓｅｒｉａｌ  Ｎｕｍｂｅｒ」とを有している。
【００８９】
「Ｗａｒｎｉｎｇ  Ｔｙｐｅ」は、上述の「ＥＴＷＳ  ｐｒｉｍａｒｙ  ｎｏｔｉｆｉｃａｔｉｏｎ」を含む情報要素であり、「Ｍｅｓｓａｇｅ  ＩＤ」は、上述の「メッセージＩＤ」を含む情報要素であり、「Ｓｅｒｉａｌ  Ｎｕｍｂｅｒ」は、上述の「シリアル番号」を含む情報要素である。
【００９０】
図１２に、かかる「ＳＹＳＴＥＭ  ＩＮＦＯＲＭＡＴＩＯＮ  ＣＨＡＮＧＥ  ＩＮＤＩＣＡＴＩＯＮ」のフォーマットの一例について示す。
【００９１】
「ＳＹＳＴＥＭ  ＩＮＦＯＲＭＡＴＩＯＮ  ＣＨＡＮＧＥ  ＩＮＤＩＣＡＴＩＯＮ」は、システム情報（ＳＩ：Ｓｙｓｔｅｍ  Ｉｎｆｏｒｍａｔｉｏｎ）の変更を通知するために、ＦＡＣＨ（Ｆｏｒｗａｒｄ  Ａｃｃｅｓｓ  Ｃｈａｎｎｅｌ）やＨＳ-ＤＳＣＨ（Ｈｉｇｈ-Ｓｐｅｅｄ  Ｄｏｗｎｌｉｎｋ  Ｓｈａｒｅｄ  Ｃｈａｎｎｅｌ）を介して送信されるＲＲＣメッセージであり、情報要素として、上述の「ＥＴＷＳ  ｉｎｆｏｒｍａｔｉｏｎ」を有している。
【００９２】
図１３に、かかる「ＥＴＷＳ  ＰＲＩＭＡＲＹ  ＮＯＴＩＦＩＣＡＴＩＯＮ  ＷＩＴＨ  ＳＥＣＵＲＩＴＹ」のフォーマットの一例について示す。
【００９３】
「ＥＴＷＳ  ＰＲＩＭＡＲＹ  ＮＯＴＩＦＩＣＡＴＩＯＮ  ＷＩＴＨ  ＳＥＣＵＲＩＴＹ」は、ＤＣＣＨ（Ｄｅｄｉｃａｔｅｄ  Ｃｏｎｔｒｏｌ  Ｃｈａｎｎｅｌ）やＣＣＣＨ（Ｃｏｍｏｎ  Ｃｏｎｔｒｏｌ  Ｃｈａｎｎｅｌ）を介して送信されるＲＲＣメッセージであり、情報要素として、「ＥＴＷＳ  ｉｎｆｏｒｍａｔｉｏｎ」や「ＥＴＷＳ  ｗａｒｎｉｎｇ  ｓｅｃｕｒｉｔｙ  ｉｎｆｏｒｍａｔｉｏｎ」を有している。
【００９４】
図１４に示すように、情報要素「ＥＴＷＳ  ｗａｒｎｉｎｇ  ｓｅｃｕｒｉｔｙ  ｉｎｆｏｒｍａｔｉｏｎ」は、上述の「セキュリティ情報」を有している。
【００９５】
なお、本実施形態に係る移動通信システムでは、「ＥＴＷＳ  ｓｅｃｏｎｄａｒｙ  ｎｏｔｉｆｉｃａｔｉｏｎ」は、上述の「メッセージＩＤ」や「シリアル番号」を含むＣＢ（Ｃｅｌｌ  Ｂｒｏａｄｃａｓｔ）メッセージによって送信されるように構成されている。
【００９６】
移動局ＵＥの受信部２１は、無線基地局ＮｏｄｅＢを介して無線回線制御局ＲＮＣによって送信されたＲＲＣメッセージを受信するように構成されている
また、受信部２１が、「ＰＡＧＩＮＧ  ＴＹＰＥ  １」や「ＳＹＳＴＥＭ  ＩＮＦＯＲＭＡＴＩＯＮ  ＣＨＡＮＧＥ  ＩＮＤＩＣＡＴＩＯＮ」や「ＥＴＷＳ  ＰＲＩＭＡＲＹ  ＮＯＴＩＦＩＣＡＴＩＯＮ  ＷＩＴＨ  ＳＥＣＵＲＩＴＹ」等の特定のＲＲＣメッセージを受信した場合に、判定部２２は、記憶部２２Ａ内に、受信部２１によって受信された特定のＲＲＣメッセージに含まれる「メッセージＩＤ」と「シリアル番号」と「ＥＴＷＳ  ｐｒｉｍａｒｙ  ｎｏｔｉｆｉｃａｔｉｏｎ」との組み合わせと同一の組み合わせを記憶しているか否かについて判定するように構成されている。
【００９７】
なお、受信部２１が、「ＥＴＷＳ  ＰＲＩＭＡＲＹ  ＮＯＴＩＦＩＣＡＴＩＯＮ  ＷＩＴＨ  ＳＥＣＵＲＩＴＹ」を受信した場合には、判定部２２は、記憶部２２Ａ内に、受信部２１によって受信された「ＥＴＷＳ  ＰＲＩＭＡＲＹ  ＮＯＴＩＦＩＣＡＴＩＯＮ  ＷＩＴＨ  ＳＥＣＵＲＩＴＹ」に含まれる「メッセージＩＤ」と「シリアル番号」と「ＥＴＷＳ  ｐｒｉｍａｒｙ  ｎｏｔｉｆｉｃａｔｉｏｎ」と「セキュリティ情報」との組み合わせと同一の組み合わせを記憶しているか否かについて判定するように構成されていてもよい。
【００９８】
なお、判定部２２は、記憶部２２Ａ内に、受信部２１によって受信された特定のＲＲＣメッセージに含まれる「メッセージＩＤ」と「シリアル番号」と「ＥＴＷＳ  ｐｒｉｍａｒｙ  ｎｏｔｉｆｉｃａｔｉｏｎ」とに基づいて生成したハッシュ値と同一のハッシュ値を記憶しているか否かについて判定することによって、記憶部２２Ａ内に、受信した所定情報に含まれる「メッセージＩＤ」と「シリアル番号」と「ＥＴＷＳ  ｐｒｉｍａｒｙ  ｎｏｔｉｆｉｃａｔｉｏｎ」との組み合わせと同一の組み合わせを記憶しているか否かについて判定するように構成されていてもよい。
【００９９】
或いは、判定部２２は、記憶部２２Ａ内に、受信部２１によって受信された「ＥＴＷＳ  ＰＲＩＭＡＲＹ  ＮＯＴＩＦＩＣＡＴＩＯＮ  ＷＩＴＨ  ＳＥＣＵＲＩＴＹ」に含まれる「メッセージＩＤ」と「シリアル番号」と「ＥＴＷＳ  ｐｒｉｍａｒｙ  ｎｏｔｉｆｉｃａｔｉｏｎ」と「セキュリティ情報」とに基づいて生成したハッシュ値と同一のハッシュ値を記憶しているか否かについて判定することによって、記憶部２２Ａ内に、受信した所定情報に含まれる「メッセージＩＤ」と「シリアル番号」と「ＥＴＷＳ  ｐｒｉｍａｒｙ  ｎｏｔｉｆｉｃａｔｉｏｎ」と「セキュリティ情報」との組み合わせと同一の組み合わせを記憶しているか否かについて判定するように構成されていてもよい。
【０１００】
なお、判定部２２が上記判定に用いるハッシュ値は、「ＥＴＷＳ  ｐｒｉｍａｒｙ  ｎｏｔｉｆｉｃａｔｉｏｎ」のみ、若しくは、「ＥＴＷＳ  ｎｏｔｉｆｉｃａｔｉｏｎ」と「セキュリティ情報」とにのみ基づいて生成されてもよく、その場合、上記判定に用いるその他の情報（「メッセージＩＤ」や「シリアル番号」）については、その値そのものを用いてもよい。
【０１０１】
以下、図１５及び図１６を参照して、本実施形態に係る移動通信システムの動作について説明する。
【０１０２】
図１５に示すように、ＵＴＲＡＮ内の無線回線制御局ＲＮＣは、ステップＳ１００１において、「ＰＡＧＩＮＧ  ＴＹＰＥ  １」や「ＳＹＳＴＥＭ  ＩＮＦＯＲＭＡＴＩＯＮ  ＣＨＡＮＧＥ  ＩＮＤＩＣＡＴＩＯＮ」を送信し、ステップＳ１００２において、「ＥＴＷＳ  ＰＲＩＭＡＲＹ  ＮＯＴＩＦＩＣＡＴＩＯＮ  ＷＩＴＨ  ＳＥＣＵＲＩＴＹ」を送信する。
【０１０３】
移動局ＵＥは、「ＰＡＧＩＮＧ  ＴＹＰＥ  １」や「ＳＹＳＴＥＭ  ＩＮＦＯＲＭＡＴＩＯＮ  ＣＨＡＮＧＥ  ＩＮＤＩＣＡＴＩＯＮ」を受信した際に、「ＥＴＷＳ  ＰＲＩＭＡＲＹ  ＮＯＴＩＦＩＣＡＴＩＯＮ  ＷＩＴＨ  ＳＥＣＵＲＩＴＹ」の受信の要否について判定し、受信が必要であると判定した場合に、「ＥＴＷＳ  ＰＲＩＭＡＲＹ  ＮＯＴＩＦＩＣＡＴＩＯＮ  ＷＩＴＨ  ＳＥＣＵＲＩＴＹ」を受信する。
【０１０４】
図１６に示すように、ステップＳ２０１において、受信部２１は、「ＰＡＧＩＮＧ  ＴＹＰＥ  １」や「ＳＹＳＴＥＭ  ＩＮＦＯＲＭＡＴＩＯＮ  ＣＨＡＮＧＥ  ＩＮＤＩＣＡＴＩＯＮ」や「ＥＴＷＳ  ＰＲＩＭＡＲＹ  ＮＯＴＩＦＩＣＡＴＩＯＮ  ＷＩＴＨ  ＳＥＣＵＲＩＴＹ」等の特定のＲＲＣメッセージを受信した場合、ステップＳ２０２において、判定部２２が、記憶部２２Ａ内に、受信した特定のＲＲＣメッセージに含まれる「メッセージＩＤ」と「シリアル番号」と「ＥＴＷＳ  ｐｒｉｍａｒｙ  ｎｏｔｉｆｉｃａｔｉｏｎ」との組み合わせと同一の組み合わせを記憶しているか否かについて判定することによって、かかる特定のＲＲＣメッセージが重複して受信したものであるか否かについて判定する。
【０１０５】
判定部２２は、重複して新規に受信されたものであると判定した場合、ステップＳ２０３において、かかる「ＥＴＷＳ  ｐｒｉｍａｒｙ  ｎｏｔｉｆｉｃａｔｉｏｎ」を廃棄する。
【０１０６】
一方、判定部２２は、新規に受信されたものであると判定した場合、ステップＳ２０４において、かかる「ＥＴＷＳ  ｐｒｉｍａｒｙ  ｎｏｔｉｆｉｃａｔｉｏｎ」をアプリケーション機能部２３へと転送し、かかる「メッセージＩＤ」と「シリアル番号」と「ＥＴＷＳ  ｎｏｔｉｆｉｃａｔｉｏｎ」との組み合わせを記憶する。
【０１０７】
ステップＳ２０５において、アプリケーション機能部２３は、受信された「ＥＴＷＳ  ｐｒｉｍａｒｙ  ｎｏｔｉｆｉｃａｔｉｏｎ」の正当性を確認できた場合、かかる「ＥＴＷＳ  ｐｒｉｍａｒｙ  ｎｏｔｉｆｉｃａｔｉｏｎ」についての出力処理を行う。
【０１０８】
なお、本実施形態に係る移動通信システムにおいて、移動局ＵＥは、上述のＣＢメッセージに対しても、同様の「Ｄｕｐｌｉｃａｔｉｏｎ  Ｄｅｔｅｃｔｉｏｎ」を行うように構成されていてもよい。
【０１０９】
本発明の第２の実施形態に係る移動通信システムによれば、移動局ＵＥが、「メッセージＩＤ」と「シリアル番号」と「ＥＴＷＳ  ｐｒｉｍａｒｙ  ｎｏｔｉｆｉｃａｔｉｏｎ」との組み合わせに基づいて「Ｄｕｐｌｉｃａｔｉｏｎ  Ｄｅｔｅｃｔｉｏｎ」を行うことによって、悪意の第三者によって生成されて送信された偽の「ＥＴＷＳ  ｐｒｉｍａｒｙ  ｎｏｔｉｆｉｃａｔｉｏｎ」を含むＲＲＣメッセージを検出することができるため、正規の「ＥＴＷＳ  ｐｒｉｍａｒｙ  ｎｏｔｉｆｉｃａｔｉｏｎ」と「メッセージＩＤ」と「シリアル番号」とを含むＲＲＣメッセージを受信した場合に、かかるＲＲＣメッセージを廃棄することなく、正規の「ＥＴＷＳ  ｐｒｉｍａｒｙ  ｎｏｔｉｆｉｃａｔｉｏｎ」を出力することができる。
【０１１０】
以上に述べた本実施形態の特徴は、以下のように表現されていてもよい。
【０１１１】
本実施形態の第１の特徴は、移動局ＵＥに対して「ＥＴＷＳ  ｎｏｔｉｆｉｃａｔｉｏｎ（通知情報）」を送信する移動通信方法であって、「ＥＴＷＳ  ｎｏｔｉｆｉｃａｔｉｏｎ」の発信元及びタイプを識別するための「メッセージＩＤ（識別情報）」、「ＥＴＷＳ  ｎｏｔｉｆｉｃａｔｉｏｎ」の「シリアル番号」及び「ＥＴＷＳ  ｎｏｔｉｆｉｃａｔｉｏｎ」を含む所定情報を送信する工程Ａと、移動局ＵＥが、記憶部２２Ａ内に、受信した所定情報に含まれる「メッセージＩＤ」と「シリアル番号」と「ＥＴＷＳ  ｎｏｔｉｆｉｃａｔｉｏｎ」との組み合わせと同一の組み合わせを記憶しているか否かについて判定する工程Ｂと、移動局ＵＥが、かかる組み合わせを記憶していると判定した場合、受信した「ＥＴＷＳ  ｎｏｔｉｆｉｃａｔｉｏｎ」を廃棄する工程Ｃと、移動局ＵＥが、かかる組み合わせを記憶していないと判定した場合、受信した「ＥＴＷＳ  ｎｏｔｉｆｉｃａｔｉｏｎ」をアプリケーション機能部２３へと転送し、記憶部２２Ａ内に、「メッセージＩＤ」と「シリアル番号」と「ＥＴＷＳ  ｎｏｔｉｆｉｃａｔｉｏｎ」との組み合わせを記憶する工程Ｄとを有することを要旨とする。
【０１１２】
本実施形態の第１の特徴において、所定情報に「セキュリティ情報」が更に含まれている場合、工程Ｂにおいて、移動局ＵＥが、記憶部２２Ａ内に、受信した所定情報に含まれる「メッセージＩＤ」と「シリアル番号」と「ＥＴＷＳ  ｎｏｔｉｆｉｃａｔｉｏｎ」と「セキュリティ情報」との組み合わせと同一の組み合わせを記憶しているか否かについて判定してもよい。
【０１１３】
本実施形態の第１の特徴において、工程Ｂにおいて、移動局ＵＥが、記憶部２２Ａ内に、受信した所定情報に含まれる「メッセージＩＤ」と「シリアル番号」と「ＥＴＷＳ  ｎｏｔｉｆｉｃａｔｉｏｎ」と「コーディング方式」との組み合わせと同一の組み合わせを記憶しているか否かについて判定してもよい。
【０１１４】
本実施形態の第１の特徴において、移動局ＵＥは、記憶部２２Ａ内に、「メッセージＩＤ」と「シリアル番号」と「ＥＴＷＳ  ｎｏｔｉｆｉｃａｔｉｏｎ」ととに基づいて生成したハッシュ値を記憶しており、工程Ｂにおいて、移動局ＵＥは、記憶部２２Ａ内に、受信した所定情報に含まれる「メッセージＩＤ」と「シリアル番号」と「ＥＴＷＳ  ｎｏｔｉｆｉｃａｔｉｏｎ」とに基づいて生成したハッシュ値と同一のハッシュ値を記憶しているか否かについて判定することによって、記憶部２２Ａ内に、受信した所定情報に含まれる「メッセージＩＤ」と「シリアル番号」と「ＥＴＷＳ  ｎｏｔｉｆｉｃａｔｉｏｎ」との組み合わせと同一の組み合わせを記憶しているか否かについて判定してもよい。
【０１１５】
本実施形態の第１の特徴において、工程Ａにおいて、所定情報として、報知情報（ＳＩＢ１０又はＳＩＢ１１）を送信してもよい。
【０１１６】
本実施形態の第１の特徴において、工程Ａにおいて、所定情報として、ＲＲＣメッセージ「ＥＴＷＳ  ＰＲＩＭＡＲＹ  ＮＯＴＩＦＩＣＡＴＩＯＮ  ＷＩＴＨ  ＳＥＣＵＲＩＴＹ」、「ＰＡＧＩＮＧ  ＴＹＰＥ  １」又は「ＳＹＳＴＥＭ  ＩＮＦＯＲＭＡＴＩＯＮ  ＣＨＡＮＧＥ  ＩＮＤＩＣＡＴＩＯＮ」を送信してもよい。
【０１１７】
本実施形態の第２の特徴は、「ＥＴＷＳ  ｎｏｔｉｆｉｃａｔｉｏｎ」を受信する移動局ＵＥであって、「メッセージＩＤ」、「シリアル番号」及び「ＥＴＷＳ  ｎｏｔｉｆｉｃａｔｉｏｎ」を含む所定情報を受信するように構成されている受信部２１と、記憶部２２Ａ内に、受信した所定情報に含まれる「メッセージＩＤ」と「シリアル番号」と「ＥＴＷＳ  ｎｏｔｉｆｉｃａｔｉｏｎ」との組み合わせと同一の組み合わせを記憶しているか否かについて判定するように構成されている判定部２２とを具備し、判定部２２は、かかる組み合わせを記憶していると判定した場合、受信した「ＥＴＷＳ  ｎｏｔｉｆｉｃａｔｉｏｎ」を廃棄し、かかる組み合わせを記憶していないと判定した場合、受信した「ＥＴＷＳ  ｎｏｔｉｆｉｃａｔｉｏｎ」をアプリケーション機能部２３へと転送し、記憶部２２Ａ内に、「メッセージＩＤ」と「シリアル番号」と「ＥＴＷＳ  ｎｏｔｉｆｉｃａｔｉｏｎ」との組み合わせを記憶するように構成されていることを要旨とする。
【０１１８】
本実施形態の第２の特徴において、所定情報に、「セキュリティ情報」が更に含まれている場合、判定部２２は、記憶部２２Ａ内に、受信した所定情報に含まれる「メッセージＩＤ」と「シリアル番号」と「ＥＴＷＳ  ｎｏｔｉｆｉｃａｔｉｏｎ」と「セキュリティ情報」との組み合わせと同一の組み合わせを記憶しているか否かについて判定するように構成されていてもよい。
【０１１９】
本実施形態の第２の特徴において、記憶部２２Ａは、「メッセージＩＤ」と「シリアル番号」と「ＥＴＷＳ  ｎｏｔｉｆｉｃａｔｉｏｎ」とに基づいて生成されたハッシュ値を記憶しており、判定部２２は、記憶部２２Ａ内に、受信した所定情報に含まれる「メッセージＩＤ」と「シリアル番号」と「ＥＴＷＳ  ｎｏｔｉｆｉｃａｔｉｏｎ」とに基づいて生成したハッシュ値と同一のハッシュ値を記憶しているか否かについて判定することによって、記憶部２２Ａ内に、受信した所定情報に含まれる「メッセージＩＤ」と「シリアル番号」と「ＥＴＷＳ  ｎｏｔｉｆｉｃａｔｉｏｎ」との組み合わせと同一の組み合わせを記憶しているか否かについて判定するように構成されていてもよい。
【０１２０】
本実施形態の第２の特徴において、受信部２１は、所定情報として、報知情報（ＳＩＢ１０又はＳＩＢ１１）を受信するように構成されていてもよい。
【０１２１】
本実施形態の第２の特徴において、受信部２１は、所定情報として、ＲＲＣメッセージ「ＥＴＷＳ  ＰＲＩＭＡＲＹ  ＮＯＴＩＦＩＣＡＴＩＯＮ  ＷＩＴＨ  ＳＥＣＵＲＩＴＹ」、「ＰＡＧＩＮＧ  ＴＹＰＥ  １」又は「ＳＹＳＴＥＭ  ＩＮＦＯＲＭＡＴＩＯＮ  ＣＨＡＮＧＥ  ＩＮＤＩＣＡＴＩＯＮ」を受信するように構成されていてもよい。
【０１２２】
なお、上述の無線基地局ｅＮＢ、無線回線制御局ＲＮＣ及び移動局ＵＥの動作は、ハードウェアによって実施されてもよいし、プロセッサによって実行されるソフトウェアモジュールによって実施されてもよいし、両者の組み合わせによって実施されてもよい。
【０１２３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ、無線回線制御局ＲＮＣ及び移動局ＵＥ内に設けられていてもよい。また、かかる記憶媒体及びプロセッサは、ディスクリートコンポーネントとして無線基地局ｅＮＢ、無線回線制御局ＲＮＣ及び移動局ＵＥ内に設けられていてもよい。
【０１２５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１２６】
ｅＮＢ…無線基地局
１１…ＥＴＷＳ通知情報受信部
１２…ページングメッセージ送信部
１３…報知情報送信部
ＵＥ…移動局
２１…受信部
２２…判定部
２２Ａ…記憶部
２３…アプリケーション機能部
ＲＮＣ…無線回線制御局
３１…ＥＴＷＳ通知情報受信部
３２…ＲＲＣメッセージ送信部
【図１】
2010263587.tif 000003
【図２】
2010263587.tif 000004
【図３】
2010263587.tif 000005
【図４】
2010263587.tif 000006
【図５】
2010263587.tif 000007
【図６】
2010263587.tif 000008
【図７】
2010263587.tif 000009
【図８】
2010263587.tif 000010
【図９】
2010263587.tif 000011
【図１０】
2010263587.tif 000012
【図１１】
2010263587.tif 000013
【図１２】
2010263587.tif 000014
【図１３】
2010263587.tif 000015
【図１４】
2010263587.tif 000016
【図１５】
2010263587.tif 000017
【図１６】
2010263587.tif 000018